(57)【要約】【課題】伸長速度を調整することができるタモの柄の提供。【解決手段】元節１６は、栓部材１１を備えている。栓部材１１は、通気孔２０を有し、この通気孔２０の開口面積が調整される。栓部材１１は、基部１８と可動部材１９とを有する。可動部材１９は、基部１８に対して回動自在である。基部１８及び可動部材１９には、第１通気孔２１及び第２通気孔２２が設けられている。可動部材１９が回動することによって、第１通気孔２１と第２通気孔２２との重複領域が変化する。第１通気孔２１及び第２通気孔２２は、円形の孔である。【選択図】　図３
2004129613.tif 000002
【特許請求の範囲】
【請求項１】
元節を備え、当該元節の内部に複数の節が振出式に組み込まれた柄本体と、
柄本体の後端部に設けられた栓部材と、
栓部材に設けられ、元節の内部と外部との間で空気が出入り可能な通気孔と、
通気孔の開口面積を調整する通気調整機構とを有するタモの柄。
【請求項２】
上記通気調整機構は、バタフライバルブ機構である請求項１記載のタモの柄。
【請求項３】
上記栓部材は、
元節に取り付けられ、第１当接面を備えた基部と、
第２当接面を備え、第２当接面が第１当接面に当接した状態で基部に設けられた可動部材とを有し、
上記通気孔は、
基部に設けられ、第１当接面に第１の開口を形成する第１通気孔と、
可動部材に設けられ、第２当接面に第２の開口を形成する第２通気孔とを有し、
上記通気調整機構は、
第２通気孔が第１通気孔と重なる位置と重ならない位置との間で位置変化が可能なように、可動部材を基部に対して支持している請求項１記載のタモの柄。
【請求項４】
上記可動部材は、上記第２当接面が上記第１当接面に対して当該第１当接面の面方向に沿ってスライドするように上記基部に対して回動可能に支持されている請求項３記載のタモの柄。
【請求項５】
上記第１通気孔及び第２通気孔は、円形の孔である請求項３又は４記載のタモの柄。
【請求項６】
上記第１通気孔及び第２通気孔は、半円形の孔である請求項３又は４記載のタモの柄。
【発明の詳細な説明】
【０００１】
【発明の属する技術の分野】
この発明は、魚をすくうためのタモ網が装着される柄部材、すなわち、タモの柄の構造に関するものである。
【０００２】
【従来の技術及び発明が解決しようとする課題】
例えば磯釣り等において、掛かった魚を取り込むために陸揚用すくい上げ具が使用される。この陸揚用すくい上げ具は、タモ網とタモの柄とを有し、タモ網がタモの柄の先端に装着される。
図９は、従来の一般的なタモの柄１の斜視図である。タモの柄１は、複数の筒状部材２〜５により構成されており、これら筒状部材２〜５は、順に第１番節、第２番節、第３番節、第４番節と称される。第４番節５は、元節とも称され、その後端部に尻栓部材６が取り付けられている。
【０００３】
タモの柄１は、いわゆる振出式に構成されている。釣人は、タモの柄１を振り出して伸長させ、魚をすくう。このとき、タモの柄１は、各節２〜４が素早く伸長することが重要である。
そのため、従来のタモの柄１では、上記尻栓部材６に通気孔７が設けられている。この通気孔７が設けられることにより、各節２〜４が振り出される際に、タモの柄１の内部に空気が導入され、タモの柄１の素早い伸長が実現される（例えば、非特許文献１参照）。
【０００４】
しかし、磯釣りの場合、釣り場の環境はさまざまであり、釣人の立ち位置が水面から数メートルの高さになる場合もある。そのような場合は、タモの柄１は、ほぼ真下に振り出されることになるが、このとき、各節２〜４の振出速度が速くなりすぎて、各節２〜４が強固に嵌合してしまうおそれがある。
そこで、本発明の目的は、伸長速度を調整することができるタモの柄を提供することである。
【０００５】
【非特許文献１】
株式会社シマノ　２００２　Ｆｉｓｈｉｎｇ　Ｔａｃｋｌｅ　Ｃａｔａｌｏｇｕｅ（第６１〜６２頁）
【０００６】
【課題を解決するための手段】
（１）　上記目的を達成するため、本願に係るタモの柄は、元節を備え、当該元節の内部に複数の節が振出式に組み込まれた柄本体と、柄本体の後端部に設けられた栓部材と、栓部材に設けられ、元節の内部と外部との間で空気が出入り可能な通気孔と、通気孔の開口面積を調整する通気調整機構とを有することを特徴とするものである。
【０００７】
この構成によれば、通気調整機構により通気孔の開口面積が調整される。通気孔の開口面積が大きい場合には、栓部材を通って元節の内部と外部との間で空気が出入りしやすくなる。これにより、タモの柄が振り出されたときに、外部からタモの柄の内部へ空気が一気に流入することができ、タモの柄は、高速で伸長する。また、通気孔の開口面積が小さい場合には、栓部材を通って元節の内部と外部との間で空気が出入りしにくくなる。このため、タモの柄が振り出されたときに、外部からタモの柄の内部へ空気が緩やかに流入するので、タモの柄は、低速で伸長する。
【０００８】
（２）　上記通気調整機構は、バタフライバルブ機構が採用され得る。
バタフライバルブ機構により、上記通気孔の開口面積は、自在に且つ高精度に調整される。
【０００９】
（３）　上記栓部材は、元節に取り付けられ、第１当接面を備えた基部と、第２当接面を備え、第２当接面が第１当接面に当接した状態で基部に設けられた可動部材とを有し、上記通気孔は、基部に設けられ、第１当接面に第１の開口を形成する第１通気孔と、可動部材に設けられ、第２当接面に第２の開口を形成する第２通気孔とを有し、上記通気調整機構は、第２通気孔が第１通気孔と重なる位置と重ならない位置との間で位置変化が可能なように、可動部材を基部に対して支持する構造が採用されてもよい。
【００１０】
この構成では、基部の第１当接面と可動部材の第２当接面とが当接した状態で基部に対して可動部材が取り付けられる。基部には第１通気孔が設けられ、可動部材には第２通気孔が設けられており、通気調整機構を介して基部に対する可動部材の位置が変化されることにより、第１通気孔の第１の開口と第２通気孔の第２の開口との重複範囲が調整される。これにより、上記通気孔の開口面積が調整され、外部からタモの柄の内部への空気の出入りが調整される。
【００１１】
上記可動部材は、上記第２当接面が上記第１当接面に対して当該第１当接面の面方向に沿ってスライドするように上記基部に対して回動可能に支持されている構造が好ましい。
かかる構造では、基部に対する可動部材の支持構造がきわめて簡単になる。また、可動部材が単に回転されることにより、上記通気孔の開口面積が調整され、タモの柄の伸長速度が簡単に調整される。
【００１２】
（４）　上記第１通気孔及び第２通気孔は、円形の孔又は半円形の孔であることが好ましい。
かかる構造であれば、通気孔の構造がきわめて簡単であるうえに、上記開口面積の調整が細かく行われる。したがって、タモの柄の伸長速度は、釣人の所望の速度に簡単且つ正確に調整される。
【００１３】
【発明の実施の形態】
以下、適宜図面が参照されつつ、好ましい実施形態に基づいて本発明が詳細に説明される。
【００１４】
＜第１の実施形態＞
図１は、本発明の第１の実施形態に係るタモの柄１０の分解斜視図である。
このタモの柄１０は、魚釣りに使用される陸揚用すくい上げ具の柄部を構成している。タモの柄１０は、その先端に、所定のタモ網が装着されるようになっている。釣人は、タモの柄１０を把持し、タモ網を操作することによって魚をすくう。
本実施形態の特徴とするところは、タモの柄１０の後端に栓部材１１が取り付けられており、この栓部材１１がタモの柄１０の内部への空気の流入を調整することができるようになっている点である。以下、タモの柄１０の構成について詳述される。
【００１５】
タモの柄１０は、柄本体１２と、上記栓部材１１とを備えている。
柄本体１２は、４本の筒状部材１３〜１６から構成されている。各筒状部材１３〜１６は、それぞれ「節」と称され、柄本体１２の先端側から順に第１番節１３、第２番節１４、第３番節１５及び第４番節１６と称される。第４番節１６は、特に元節と称される。
各節１３〜１６は、既知の要領で構成される。例えば、カーボンプリプレグが所定形状に裁断され、これが筒状に巻回されることによって、円筒状の各節１３〜１６が形成される。
【００１６】
柄本体１２は、いわゆる振出式に構成されている。すなわち、第１番節１３は第２番節１４の内部に引き出し自在に収容されている。第１番節１３はテーパ状に形成されており、先端部の外径よりも後端部の外径の方が大きくなるように形成されている。また、第１番節１３の後端径は、第２番節１４の先端径よりも大きく設定されている。
したがって、第１番節１３が第２番節１４から引き出されたときは、第１番節１３の後端部分が第２番節１４の先端部分とかみ合って両者が固定されるようになっている。なお、第２番節１４と第３番節１５との関係及び第３番節１５と元節１６との関係も同様である。
【００１７】
第１番節１３の先端部には、キャップ部材１７が取り付けられている。このキャップ部材１７は、各節１３〜１５が元節１６の内部に収容されたときに、元節１６の先端部の内側に嵌め込まれるようになっている。
なお、図示されていないが、第１番節１３の先端部の内側には、円筒状のスリーブが嵌め込まれており、このスリーブにタモ網が装着されるようになっている。
また、第２番節１４ないし元節１６の先端部には、当該部分の剛性を向上させ、隣り合う節のかみ合いを確実なものとするために、リングＲ１〜Ｒ３が装着されている。
【００１８】
栓部材１１は、元節１６の後端部に取り付けられている。具体的には、栓部材１１は、元節１６に螺合されており、元節１６に対して着脱自在となっている。また、栓部材１１には、通気孔２０が設けられている。この通気孔２０は、後に詳述される第１通気孔２１及び第２通気孔２２を備えており、元節１６の内部と外部との間で空気の出入りを許容するものである。
なお、栓部材１１が取り外されることにより、第２番節１４及び第３番節１５は、元節１６から取り出されるようになっている。
【００１９】
図２は、栓部材１１の拡大分解斜視図である。図３は、元節１６の要部拡大断面図であり、栓部材１１の構造を詳細に示している。
栓部材１１は、基部１８と可動部材１９とを備えている。
基部１８は、樹脂や金属等により構成されている。基部１８は、いわゆる段付きの円柱状に形成されている。基部１８は、ねじ部２３と、フランジ部２４と、係合部２５とを備えており、これらは一体的に形成されている。
【００２０】
ねじ部２３は、所定の雄ねじが形成されており、図３が示すように、元節１６の後端部にねじ込まれている。
フランジ部２４は、ねじ部２３に連続して形成され、ねじ部２３よりも大きな外径を有する。フランジ部２４の外径は、元節１６の外径に対応されており、基部１８が元節１６に装着されたときは、フランジ部２４の外周面は、元節１６の外周面と略面一状態となる。
係合部２５は、フランジ部２４に連続して形成されており、小径部２６及びこれに連続する大径部２７とを有する。つまり、係合部２５は、段付きの円柱状に形成されており、この段部２８に上記可動部材１９が係合するようになっている。
基部１８には、軸方向（図３において左右方向）に沿って上記第１通気孔２１が形成されている。この第１通気孔２１は、円形の孔である。第１通気孔２１は、基部１８を軸方向に貫通しており、基部１８の端面２９（第１当接面）に開口３０（第１の開口）を形成している。
【００２１】
可動部材１９は、ゴムにより構成されている。もっとも、可動部材１９は、ゴムのほか、樹脂、金属等により構成されていてもよい。
可動部材１９は、上記基部１８の係合部２５に係合している。可動部材１９は、全体として円形の器状に形成されており（図２参照）、断面形状が略Ｌ字状の鉤部３１と、鉤部３１に連続する円板部３２とを備えている。図３が示すように、この鉤部３１は、上記係合部２５に嵌め込まれている。つまり、鉤部３１が上記段部２８にぴったりと嵌め込まれている。これにより、可動部材１９は、栓部材１１の仮想中心軸Ｃ（元節１６の中心）を回動中心として、自在に回動することができるようになっている。
可動部材１９には、軸方向（図３において左右方向）に沿って上記第２通気孔２２が形成されている。この第２通気孔２２は円形の孔であり、その内径は、上記第１通気孔２１の内径と同様である。第２通気孔２２は、可動部材１９を軸方向に貫通しており、可動部材１９の端面３３（第２当接面）に開口３４（第２の開口）を形成している。
【００２２】
したがって、可動部材１９が回動し、上記第１通気孔２１と第２通気孔２２の相対的位置が変化し、上記開口３０と開口３４とが重なり合う場合は、栓部材１１を貫通する通気孔２０が構成される。そして、可動部材１９の回動位置、つまり、第１通気孔２１と第２通気孔２２との相対的位置が調整されることにより、通気孔２０の開口面積が調整されることになる。
換言すれば、可動部材１９の鉤部３１が基部１８の係合部２５に形成された段部２８に回動自在に係合され、且つ上記第１通気孔２１が基部１８に設けられる共に上記第２通気孔２２が可動部材１９に設けられることによって、栓部材１１の通気孔２０の開口面積を調整するための通気調整機構が構成されている。
【００２３】
本実施形態に係るタモの柄１０によれば、上記通気調整機構により栓部材１１の通気孔２０の開口面積が調整されるので、この通気孔２０の開口面積が大きい場合には、栓部材１１を通って元節１６の内部と外部との間で空気が出入りしやすくなる。これにより、実釣において、タモの柄１０が振り出されるときは、外部からタモの柄２０の内部へ空気が一気に流入することができ、タモの柄１０は、高速で瞬時に伸長する。
また、上記通気孔２０の開口面積が小さい場合には、栓部材１１を通って元節１６の内部と外部との間で空気が出入りしにくくなる。このため、タモの柄１０が振り出されたときに、外部からタモの柄１０の内部へ空気が緩やかに流入することになるから、タモの柄１０は、低速で伸長する。
【００２４】
このように、本実施形態に係るタモの柄１０では、その伸長速度を高速から低速まで釣人の所望の速度に設定することができる。これにより、例えば磯釣り等において、釣人の立ち位置が水面から低い場合には、釣人は、上記伸長速度を高速に設定し、タモの柄１０を瞬時に伸長させることができる。また、釣人の立ち位置が水面から高い場合には、タモの柄１０はほぼ真下に向かって伸長されることになるが、釣人は、上記伸長速度を低速に設定することにより、タモの柄１０の伸長動作を制動することができる。これにより、タモの柄１０が伸長されたときに、各節１３〜１６が固着してしまうことが防止される。
【００２５】
特に、本実施形態では、栓部材１１の通気孔２０の開口面積の調整は、次のようにしてきわめて簡単に行われる。
図４は、図３におけるＩＶ−ＩＶ断面図であり、基部１８の第１通気孔２１と可動部材１９の第２通気孔２２との相対的位置が図示されている。
同図が示すように、釣人が可動部材１９を回動させると、可動部材１９は基部１８に対して回転する。これにより、第１通気孔２１と第２通気孔２２とが重複し、当該重複領域３５の面積が栓部材１１の開口面積を規定する。このように、栓部材１１の通気孔２０の開口面積の調整は、きわめて簡単に行われる。もっとも、可動部材１９は、基部１８に対して自在に回動されるものであるから、釣人は、可動部材１９を操作することによって、上記重複領域を無くすことも可能である。
【００２６】
また、本実施形態では、上記基部１８の端面２９と上記可動部材の端面３３とが当接されており、可動部材１９が回動されることにより端面２９，３３同士がスライドし、その結果、上記基部１８側の開口３０と上記可動部材１９側の開口３４との重複領域３５が変化されて、栓部材１１の通気孔２０の開口面積が調整される。したがって、通気孔２０の開口面積の調整が簡単且つ確実なものであり、外部からの意図されない空気の流入が規制されるので、タモの柄１０の伸長速度の調整が正確に行われる。
【００２７】
さらに、上記可動部材１９は、基部１８に対して回動可能に嵌合している。したがって、基部１８に対する可動部材１９の支持構造がきわめて簡単である。しかも、上記第１通気孔２１及び第２通気孔２２は、円形の孔により構成されており、通気孔２０の構造がきわめて簡単である。これらのことから、上記通気調整機構の構造が簡単であり、タモの柄１０の製造コストが大幅に上昇することがないという利点がある。
【００２８】
図５は、上記実施形態の変形例に係るタモの柄１０の要部拡大断面図である。この図は、栓部材１１の断面図であり、基部１８の第１通気孔３６及び可動部材１９の第２通気孔３７の位置関係を図示している。
本変形例が上記実施形態と異なるところは、第１通気孔３６及び第２通気孔３７の形状であり、これらは半円形状に形成されている点である。なお、その他の構成については、第１の実施形態と同様である。
同図が示すように、基部１８及び可動部材１９に半円形の第１通気孔３６及び第２通気孔３７が設けられているので、可動部材１９が回動された際に、両者の重複領域３５の調整は、一層細かく行われる。したがって、タモの柄１０の伸長速度は、より細かく且つ正確に調整され、釣人の所望の伸長速度が実現されるという利点がある。
【００２９】
＜第２の実施形態＞
次に、本発明の第２の実施形態について説明される。
図６は、本発明の第２の実施形態に係るタモの柄の要部拡大分解斜視図であり、栓部材４０の外観が詳細に示されている。また、図７は、栓部材４０の断面図であり、栓部材４０の構造を詳細に示している。
本実施形態の特徴とするところは、上記第１の実施形態に係る栓部材１１では、基部１８に対して可動部材１９がスライドすることによって通気孔２０の開口面積が調整されるようになっていたのに対し、栓部材４０では、通気孔５１の開口面積を調整するために、バタフライバルブ機構が備えられている点である。
【００３０】
栓部材４０は、本体４１と、本体４１に設けられた回転弁４２及び座板４３とを備えている。
本体４１は、図６及び図７が示すような段付きの円筒状に形成されており、小径部４４及びこれに連続する大径部４５とを備えている。本体４１は、樹脂や金属等により構成されている。
小径部４４の外径は、元節１６の内径に対応されている。小径部４４には雄ねじ４６が形成されており、この雄ねじが元節１６の後端部にねじ込まれるようになっている。
大径部４５には、本体４１の径方向に貫通する軸挿通孔４７が設けられている。この軸挿通孔４７は、後述される回転弁４２の回転軸４８が挿通支持されるようになっている。なお、大径部４５の外周面には、ローレット４９が形成されており、これにより、釣人が栓部材４０を元節１６にねじ込む際に滑止効果が奏される。
【００３１】
上記座板４３は、上記小径部４４の先端に取り付けられている。座板４３は、例えばＮＢＲ等により構成されており、タモの柄１０が収納状態とされたときに、各節１３〜１５の後端が当接されるようになっている。
座板４３の中央部には、貫通孔５０が形成されている。したがって、円筒状に形成された本体４１及び上記貫通孔５０によって、元節１６の内部と外部とを連通する通気孔５１が構成されている。なお、この座板４３は、省略されてもよい。
【００３２】
回転弁４２は、円形の弁本体５２と、上記回転軸４８とを備えている。回転弁４２は、例えば樹脂や金属等により構成される。
弁本体５２は薄肉円板状に形成されており、その外径は、通気孔５１の内径（すなわち、上記本体４１の内径）に対応されている。回転軸４８は、弁本体５２に突設されている。回転軸４８は、弁本体５２の径方向外方に突出しており、上記軸挿通孔４７に嵌め込まれている。回転軸４８の外径と軸挿通孔４７の内径との間には、所定のはめあいの関係が成立しており、回転軸４８は、軸挿通孔４７に圧入されている。このため、回転軸４８は、軸挿通孔４７に対して回転可能ではあるが、両者間には一定の摩擦力が生じている。したがって、釣人が回転軸４８を回転させようとした場合（弁本体５２を回転させようとした場合）には、上記所定の摩擦力に抗して回転させる必要があり、また、弁本体５２が一旦所定の回転姿勢に設定された場合は、上記摩擦力によって当該姿勢に保持される。
【００３３】
図８は、図６におけるＡ−矢視図であり、回転弁４２の姿勢変化を（ａ）〜（ｃ）の順に図示している。
釣人は、栓部材４０の後端側から通気孔５１に指等を差し込み、回転弁４２を回転させる。このとき、釣人は、弁本体５２を押すことによって、回転弁４２を回転軸４８の回りに回転させることができる。
同図（ａ）は、回転弁４２が栓部材４０の径方向に沿うように配置され、通気孔５１が全閉された状態を示している。釣人が指で弁本体５２を操作することによって、回転弁４２が略４５°（ｄｅｇｒｅｅ）回転されると、通気孔５１は、略半分だけ開放される（同図（ｂ））。さらに、釣人が指で弁本体５２を操作することによって、回転弁４２が９０°回転され、通気孔５１が全開される（同図（ｃ））。つまり、この回転弁４２によって、上記バタフライバルブ機構が構成され、これにより、通気孔５１の開口面積が調整される。
【００３４】
本実施形態に係るタモの柄１０によれば、前述のように栓部材４０の通気孔５１の開口面積が調整されるので、この通気孔５１の開口面積が大きい場合には、栓部材４０を通って元節１６の内部と外部との間で空気が出入りしやすくなる。これにより、タモの柄１０が振り出されるときは、外部からタモの柄１０の内部へ空気が一気に流入することができ、タモの柄１０は、高速で瞬時に伸長する。また、上記通気孔５１の開口面積が小さい場合には、栓部材４０を通って元節１６の内部と外部との間で空気が出入りしにくくなる。このため、タモの柄１０が振り出されたときに、外部からタモの柄１０の内部へ空気が緩やかに流入することになるから、タモの柄１０は、低速で伸長する。
【００３５】
特に本実施形態に係るタモの柄１０では、通気孔５１の開口面積の調整がバタフライバルブ機構により行われるから、通気調整機構の構造が簡単であり、その結果、タモの柄１０全体のコストアップが抑制されるという利点がある。しかも、回転弁４２の回転により通気孔５１の開口面積が調整されるから、当該調整はなお一層高精度に行われる。その結果、釣人は、タモの柄１０を構成する各節１３〜１５の伸長速度を自在に調整することができる。
【００３６】
また、本実施形態においては、釣人が指で直接回転弁４２を押すことによって回転弁４２の回転姿勢が決定されたが、図７の二点鎖線で示されたように、上記回転軸４８につまみ５３が設けられていてもよい。このつまみ５３は、回転軸４８に固着されており、本体４１の外側に配置されている。
釣人は、つまみ５３を操作することによって、きわめて簡単に回転弁４２を回転させることができる。したがって、上記通気孔５１の開口面積の調整がさらに高精度に行われる。
【００３７】
なお、上記各実施形態及び変形例では、栓部材１１（４０）の通気孔２０（５１）の開口面積の調整は、上記基部１８及び基部１８に回動自在に係合された可動部材１９により構成される通気調整機構又は上記回転弁４２により構成されるバタフライバルブ機構により行われるが、当該開口面積を調整するための機構は、かかる構造に限定されるものではなく、他の構造により通気調整機構が構成されていてもよいことは勿論である。要するに、タモの柄１０が伸長される際に、タモの柄１０の内部に流入する空気量が調整されるものであれば、他の様々な構造が採用され得る。
【００３８】
【発明の効果】
以上のように本発明によれば、タモの柄の後端に栓部材が設けられ、その通気孔の開口面積が通気調整機構により調整されることにより、釣人は、タモの柄の伸長速度を高速から低速まで所望の速度に設定することができる。
これにより、例えば磯釣り等において、釣人の立ち位置が水面から低い場合には、釣人は、上記伸長速度を高速に設定し、タモの柄を瞬時に伸長させることができる。
また、釣人の立ち位置が水面から高い場合には、タモの柄はほぼ真下に向かって伸長されることになるが、釣人は、上記伸長速度を低速に設定することにより、タモの柄の伸長動作を制動することができる。これにより、タモの柄を構成する各節が固着することが防止される。
【図面の簡単な説明】
【図１】図１は、本発明の第１の実施形態に係るタモの柄の分解斜視図である。
【図２】図２は、本発明の第１の実施形態に係るタモの柄の栓部材の拡大分解斜視図である。
【図３】図３は、本発明の第１の実施形態に係るタモの柄の元節の要部拡大断面図である。
【図４】図４は、図３におけるＩＶ−ＩＶ断面図である。
【図５】図５は、本発明の第１の実施形態の変形例に係るタモの柄の要部拡大断面図である。
【図６】図６は、本発明の第２の実施形態に係るタモの柄の要部拡大分解斜視図である。
【図７】図７は、本発明の第２の実施形態に係るタモの柄の栓部材の断面図である。
【図８】図８は、図６におけるＡ−矢視図である。
【図９】図９は、従来の一般的なタモの柄の斜視図である。
【符号の説明】
１０・・・タモの柄
１１・・・栓部材
１６・・・元節
１８・・・基部
１９・・・可動部材
２０・・・通気孔
２１・・・第１通気孔
２２・・・第２通気孔
２５・・・係合部
２８・・・段部
２９・・・端面
３０・・・開口
３１・・・鉤部
３３・・・端面
３４・・・開口
３５・・・重複領域
３６・・・第１通気孔
３７・・・第２通気孔
４０・・・栓部材
４１・・・本体
４２・・・回転弁
４７・・・軸挿通孔
４８・・・回転軸
５０・・・貫通孔
５１・・・通気孔
５２・・・弁本体
【図１】
2004129613.tif 000003
【図２】
2004129613.tif 000004
【図３】
2004129613.tif 000005
【図４】
2004129613.tif 000006
【図５】
2004129613.tif 000007
【図６】
2004129613.tif 000008
【図７】
2004129613.tif 000009
【図８】
2004129613.tif 000010
【図９】
2004129613.tif 000011